(57)【要約】ディスプレイ装置は、ディスプレイスクリーンに向けられる電子ビームＥＢを発生する電子銃をもつ受像管ＣＲＴを含んでいる。電子銃は、第一及び第二の電極ＣＡ，Ｇ１を有している。電子ビームＥＢは、第一の電極ＣＡから生じる。第一の電極ＣＡと第二の電極Ｇ１の間の電圧は、電子ビームＥＢの強度を制御する。ビーム電流ＩＢは、電子ビームＥＢに応答して第一の電極ＣＡに流れる。第一の電極ＣＡにおける全電流ＩＣＡは、ビーム電流ＩＢと、第一の電極ＣＡと第二の電極Ｇ１との間のキャパシタンスＣＩＮを通して流れる電流ＩＣとの合計である。補償回路ＣＯＭは、第一の電極ＣＡと第二の電極Ｇ１との間のキャパシタンスＣＩＮを通して容量性の電流ＩＣを補償するため、補償電流ＩＣＯを第一の電極ＣＡに供給する。ビーム電流測定回路ＢＭＣは、第一の電極における全電流ＩＣＡと、補償電流ＩＣＯとの合計である全電流を測定する。
2005539450.tif 000002
【特許請求の範囲】
【請求項１】
少なくとも第一の電極と第二の電極を含む電子銃と、
該第一の電極から生じる電子ビームの強度を変調するため、駆動信号を該第一の電極及び／又は該第二の電極に供給する駆動回路と、
該第一の電極に結合され、該第一の電極に流れるビーム電流を表す測定ビーム電流を測定するビーム電流測定回路と、
該第一の電極と該第二の電極との間のキャパシタンスを流れる容量性の電流を補償するため、該第一の電極に補償電流を供給する補償回路と、
を有することを特徴とするディスプレイ装置。
【請求項２】
該第一の電極はカソードであり、該第二の電極はＧ１グリッドである、
ことを特徴とする請求項１記載のディスプレイ装置。
【請求項３】
該補償回路は、
該駆動信号が振幅に関して反転された反転駆動信号を増幅器の出力で供給する増幅器と、該増幅器の出力と該第一の電極との間に結合される補償キャパシタとを含む、
ことを特徴とする請求項１記載のディスプレイ装置。
【請求項４】
該補償キャパシタは、電子的に調整可能であり、
該ディスプレイ装置は、試験期間の間に試験信号を発生する試験信号発生器と、該試験信号に応答して該試験期間の間に測定された最小の測定ビーム電流を得るため、該補償キャパシタの値を制御する制御回路とを更に有する、
ことを特徴とする請求項３記載のディスプレイ装置。
【請求項５】
該増幅器は調整可能であり、
該ディスプレイ装置は、試験期間の間に試験信号を発生する試験信号発生器と、該試験信号に応答して該試験期間の間に測定された最小の測定ビーム電流を得るため、該調整可能な増幅器を制御する制御回路とを更に有する、
ことを特徴とする請求項３記載のディスプレイ装置。
【請求項６】
該ディスプレイ装置は、ラインのフレームにおいて電子ビームを偏向する偏向回路を更に有し、ラインフライバック期間はライン間で生じ、フレームフライバック期間は連続するフレーム間で生じ、該試験期間は、該フレームフライバック期間及び／又は該ラインフライバック期間の間に生じる、
ことを特徴とする請求項４又は５記載のディスプレイ装置。
【請求項７】
該ディスプレイ装置は、
複数の電子ビームを発生し、該複数の電子ビームを実質的にオーバラップしない表示領域に向けるために構成される複数の電子銃と、
該複数の電子ビームの強度を変調するように、該複数の電子銃の第一の電極及び／又は第二の電極に複数の駆動信号を供給するために調整される駆動回路と、
該複数の電子ビームに応答して、該第一の電極に流れる測定ビーム電流を測定するために調整されるビーム電流測定回路と、
関連する１つの第一の電極と関連する１つの第二の電極との間のキャパシタンスを流れる容量性の電流を補償するため、該関連する１つの第一の電極にそれぞれ１つが供給される複数の補償電流を供給するために調整される補償回路と、
【請求項８】
該駆動回路は、該測定ビーム電流を測定電圧に変換する電流−電圧変換器と、該駆動信号を得るための該駆動回路に誤差電圧を供給するため、該測定電圧を入力信号から引く減算器とを含む、
ことを特徴とする請求項１記載のディスプレイ装置。
【請求項９】
請求項１乃至７のいずれか記載のビーム電流測定回路。
【請求項１０】
少なくとも第一の電極と第二の電極を含む電子銃を有するディスプレイ装置におけるビーム電流を測定する方法であって、
該第一の電極から生じる電子ビームの強度を変調するため、該第一の電極及び／又は第二の電極に駆動信号を供給するステップと、
該第一の電極に流れるビーム電流を表す測定ビーム電流を測定するステップと、
該第一の電極と該第二の電極との間のキャパシタンスに流れる容量性の電流を補償するため、該第一の電極に補償電流を供給するステップと、
を有することを特徴とする方法。
【発明の詳細な説明】
【技術分野】
【０００１】
本発明は、ディスプレイ装置、ビーム電流測定回路、及びビーム電流を測定する方法に関する。
【背景技術】
【０００２】
EP-A-0750390は、相補的なプッシュプル・エミッタフォロワ増幅器が高電圧ドライバ増幅器の出力と、ドライバ増幅器に与えられる効果的な負荷キャパシタンスを低減するためのキネスコープカソードのカソードとの間に結合されるキネスコープドライバ装置を開示している。ＡＫＢ（Automatic  Kinescope  Bias）感知回路は、カソード電流に比例するＡＫＢ出力信号を発生するためにカソード電流を感知する。ＡＫＢ感知回路は、カソードの近くにカソード電流を感知する。
【発明の開示】
【発明が解決しようとする課題】
【０００３】
本発明の目的は、ビーム電流をより正確に測定することができるビーム電流感知回路を提供することにある。
【課題を解決するための手段】
【０００４】
本発明の第一の態様は、請求項１に記載されるディスプレイ装置を提供する。本発明の第二の態様は、請求項９に記載されるビーム電流測定回路を提供する。本発明の第三の態様は、請求項１０に記載されるディスプレイ装置におけるビーム電流を測定する方法を提供する。有利な実施の形態は、従属の請求項に定義されている。
【０００５】
ディスプレイ装置は、電子銃をもつ受像管（従来技術ではキネスコープと呼ばれる）を含み、この電子銃は、ディスプレイスクリーンに向けられる電子ビームを発生する。電子銃は、第一の電極及び第二の電極を有している。電子ビームは、第一の電極から生じる。第一の電極と第二の電極との間の電圧は、電子ビームの強度を制御する。ビーム電流は、電子ビームに応答して第一の電極に流れる。
【０００６】
補償回路は、第一の電極と第二の電極との間のキャパシタンスを流れる容量性の電流を補償するため、第一の電極に補償電流を供給する。ビーム電流補償回路は、ビーム電流、第一の電極と第二の電極との間の容量性の電流、及び補償電流を加算した前電流を測定する。
【０００７】
駆動回路は、電子ビームの強度を変調するために電子銃の電極間の電圧を得るため、第一の電極又は第二の電極にのみ、若しくは両方の電極に駆動信号を供給する。ビーム電流測定回路は、電子ビームに応答して第一の電極に流れるビーム電流を測定する。
【０００８】
通常、電子銃では、第一の電極はカソードであり、第二の電極はＧ１グリッドである。生成される電子の量は、カソードとＧ１グリッドとの間に印加される駆動電圧にかなりの程度で依存する。したがって、電子ビームの強度は、カソードとＧ１グリッドとの間の駆動電圧を、Ｇ１グリッドが固定された電位にある間にのみカソードに供給するか、若しくはカソードが固定された電位にある間にのみＧ１グリッドに供給することで変調することができる。カソードを流れる電流の量は、電子ビームの強度を表している。通常ビーム電流と呼ばれるカソードにおける電流を測定するための多くのやり方が知られている。通常、測定されるビーム電流は、電子銃の黒レベル及び／又は白レベルを制御するために使用される。しばしば、黒レベルの制御は、オートマチック・キネスコープ・バイアス（ＡＫＢ）、又はオートマチック・ブラックレベル・コントロール（ＡＢＬ）と呼ばれる。
【０００９】
電子銃は、たとえばフォーカス電極、又はたとえば第一及び第二の電極と共に三極管又は五極管を構成する他の電極のような更なる電極を含んでいる場合がある。
【００１０】
通常、カラー受像管では、多数のビーム電流を発生するため多数の（通常３つの）電子銃が与えられる。多数のビーム電流は、黒レベル及び／又は白レベルを制御するために測定される場合がある。黒レベルの制御は、黒情報がディスプレイ装置のエージングとは無関係に黒に表示されるように、最適な黒レベルで電子銃を動作させるために重要である。さらに、黒レベルの測定は、グレイの表示情報の色づいていない表示を提供するため、異なる電子上の低い光レベル間の適正な割合を得ることを可能にする。白レベルの測定は、高い光レベルで異なる色の電子銃間の適正な割合を制御するために使用される。
【００１１】
しかし、カソードとＧ１グリッドとの間のキャパシタンスのため、カソードのビーム電流の測定が乱れる。駆動信号における全ての変化は、このキャパシタンスを通して容量性の電流を生じる。カソードで測定されるビーム電流は、実際の電流と容量性の電流との合計である。この容量性の電流は、駆動信号の電圧スウィングが比較的大きいときに比較的大きい場合がある。結果的に、測定されるビーム電流は、電子銃で流れる電流に関する信頼できる表現ではない。このことは、ビデオ信号がディスプレイスクリーンに表示され、駆動信号が連続的に変化する表示周期の間にビーム電流が測定されるときに当てはまる。
【００１２】
従来のアプリケーションでは、オーバースキャン周期の間にビーム電流が測定される。ここで、１以上のフルラインが利用可能であり、この間に、予め決定されたレベルの一定の駆動電圧が電子銃に供給され、キャパシタンスの影響は最小となる。
【００１３】
たとえば、関連する電子銃をそれぞれ有するセグメントから全体のピクチャが構成されるタイル張りされるディスプレイ（tiled  displays）におけるケースである、ビーム電流が表示周期の間に測定されなければならないアプリケーション、明るさ及び／又はコントラストの一様性が全てのタイル間で維持されることが重要である。このケースに置けるように、ビーム電流の測定は、オーバースキャン周期の間に実行することができず、少なくとも幾つかのタイルがオーバースキャン領域を有さないので、ビーム電流は、表示周期の間で測定されなければならない。かかるアプリケーションでは、所望の明るさ及び／又はコントラストの一様性は、公知のビーム電流測定により到達されない。
【００１４】
本発明によるビーム電流測定は、第一の電極（通常カソード）と第二の電極（通常Ｇ１グリッド）との間のキャパシタンスを流れる電流を補償する補償電流を第一の電極に供給することで容量性の電流が補償されるため、改善された精度を有する。結果的に、測定されたビーム電流は、容量性の電流により乱れない。
【００１５】
請求項３に定義される実施の形態では、反転駆動信号を第一の電極に結合されるキャパシタに供給することで、補償が得られる。第一及び／第二の電極に供給される反転された駆動信号である反転駆動信号の振幅、及びキャパシタの値は、駆動信号により生じる第一の電極と第二の電極との間のキャパシタを流れる電流を補償する補償電流を得るために選択されなければならない。
【００１６】
請求項４に定義される実施の形態では、試験信号発生器は、試験期間の間に試験信号を発生する。試験信号は、試験期間の間に駆動信号である。制御回路は、試験期間の間のビーム電流を測定し、試験期間の間の最小の測定されたビーム電流を得るために電子調整可能なキャパシタの値を電子制御する。
【００１７】
請求項５に定義される実施の形態では、試験信号の間に最小の測定されたビーム電流を得るため、反転駆動信号の振幅が制御される。
【００１８】
請求項４又は５に定義される実施の形態では、キャパシタの最適な値又は反転駆動信号の振幅のそれぞれを決定するため、一連の試験信号の間の一連の測定を実行することが必要とされる場合がある。
【００１９】
請求項６に定義される実施の形態では、ライン及び／又はフレームフライバック周期の間に生じるように試験期間が選択される。第一の電極と第二の電極との間のキャパシタンスと該第一の電極に結合される補償キャパシタの両者を流れる容量性の電流を発生するため、試験信号はそのレベルにおいてジャンプを含んでいる。好ましくは、ビーム電流が流れないように、及び試験がユーザにとって見えないように、試験信号のレベルが選択される。
【００２０】
請求項７に定義される実施の形態では、ディスプレイ装置は、複数の電子銃を含んでおり、この複数の電子銃は、生成された電子ビームを実質的にオーバラップしない表示領域に向けるために配置される。かかるディスプレイ装置は、タイル張りされたディスプレイを含んでいる場合がある。タイル張りされたディスプレイは、少なくとも２つの実質的にオーバラップしない表示領域から構成されている。それぞれの表示領域は、関連する電子銃を有している。たとえば、個別のカソードは、それぞれのタイルと関連され、又は少なくとも２つのタイルにわたって延びるワイヤカソードが使用される場合もある。それぞれのタイルの明るさ及びコントラストは、タイルの可視性を最小にすることに実質的に等しい。したがって、それぞれのタイルのビーム電流の測定は、非常に正確である。従来の測定は、容量性の電流の補償なしに、余りに正確さを欠いたものであって、タイルが見えていた。
【００２１】
カラーディスプレイでは、通常３つの電子銃が要求される。ここで３つの個別のカソード又は３つの個別のワイヤカソードが存在する場合がある。カラーディスプレイでは、タイルの色の温度を実質的に等しくすることが重要である。したがって、幾つかの駆動信号レベルでビーム電流を正確に測定することが要求される場合がある。
【００２２】
請求項８に定義される実施の形態では、電流フィードバックモードで電子銃は駆動される。電流フィードバックは、全ての電子銃において、同じ電流が同じ入力電圧で流れ、電子銃の駆動電圧が等しいビーム電流を得るために自動調整されるという利点を有する。
【００２３】
本発明のこれらの態様及び他の態様は、以下に説明される実施の形態を参照して明らかとなるであろう。異なる図における同じ参照符号は、同じ信号又は同じ機能を実行する同じ構成要素を示している。
【発明を実施するための最良の形態】
【００２４】
図１は、本発明の実施の形態に係る改善されたビーム電流センシングによるディスプレイ装置のブロック図である。
【００２５】
例を介して、本発明の実施の形態は、単一の電子銃をもつ単一の陰極線管ＣＲＴを示している。電子銃は、第一の電極としてのカソードＣＡ、及び第二の電極としてのＧ１グリッドを有している。電子銃は、カソードを加熱するためのヒータ、及び他のグリッドを有する場合がある。カソードＣＡとＧ１グリッドＧ１にわたる電圧差により、電子ビームＥＢが生成される。電子ビームＥＢは、スクリーン（図示せず）の近くに存在する高電圧により、陰極線管ＣＲＴのスクリーンに向けられる。電子ビームＥＢの偏向角度は、偏向回路ＤＣにより駆動される偏向ヨークＤＹにより発生される磁場により決定される。通常、偏向ヨークは、フレーム（通常は垂直走査される）又はライン（通常は水平走査される）において電子ビームＥＢを走査するための（ａ）ライン偏向コイル、及び（ｂ）フレーム偏向コイルを有している。
【００２６】
電子ビームＥＢは、カソードＣＡから実質上生じ、ビーム電流ＩＢと呼ばれる電流をカソードＣＡに流す。しかし、カソードＣＡとＧ１グリッドとの間のキャパシタンスＣＩＮのため、カソードＣＡとＧ１グリッドとの間の電圧が変わるときは何時であっても、電流ＩＣは、このキャパシタンスＣＩＮを通して流れる。結果的に、カソードＣＡを離れる前電流ＩＣＡは、ビーム電流ＩＢとキャパシタンスＣＩＮを通る電流ＩＣとの合計である。
【００２７】
ドライバ回路ＤＲは、入力信号ＳＶＩを受信し、駆動信号ＶＤをＧ１グリッドＧ１に供給する。入力信号ＳＶＩは、陰極線管ＣＲＴのスクリーンに表示され入力ビデオ信号ＶＩ、及び試験信号発生器ＴＳＧにより発生された試験信号ＴＳからスイッチＳ１により選択される。スイッチＳ１及び試験信号発生器ＴＳＧは、任意的なものである。補償回路ＣＯＭは、増幅器ＡＭＰキャパシタＣＥを含んでいる。増幅器ＡＭＰは、入力信号ＳＶＩを受け、補償信号ＶＤＩをキャパシタＣＥの一方の端に補償信号ＶＤＩを供給する。キャパシタＣＥの他方の端は、カソードＣＡに接続されている。補償信号ＶＤＩは、駆動信号ＶＤの極性とは反対の極性を有している。キャパシタンスＣＩＮを流れる電流ＩＣを補償する補償電流ＩＣＯを取得するため、補償信号ＶＤＩの振幅とキャパシタＣＥの値が選択される。図１に示されるように、本発明の実施の形態では、Ｇ１グリッドの電圧のみにより、電子銃が駆動され、カソードは、実質的に一定の電位で維持される。
【００２８】
より一般的には、カソードＣＡ及びＧ１グリッドの両者の変化する電圧、若しくはカソードＣＡの変化する電圧のみにより、電子銃が駆動される場合がある。生成される電子ビームＥＢの強度をカウントするものは、カソードＣＡとＧ１グリッドＧ１との間の電圧差である。したがってより一般的には、補償信号ＶＤＩの極性及び振幅、並びにキャパシタＣＥの値は、キャパシタンスＣＩＮを通した電流ＩＣを補償するために選択される必要がある。
【００２９】
補償電流ＩＣＯは電圧をキャパシタに供給することで発生されることが好ましいが、他のソリューションも可能である。たとえば、電流源により直接的に補償電流が発生される場合がある。必要とされる電流波形を発生するため、波形発生器が使用される場合がある。
【００３０】
ビーム電流測定回路ＢＭＣは、カソードＣＡとキャパシタＣＥとの接続点に結合される。ビーム電流回路ＢＭＣにより測定される電流ＩＴは、カソードＣＡを離れる電流ＩＣＡと補償電流ＩＣＯとの合計である。
【００３１】
本発明に係る実施の形態では、キャパシタＣＥの適正な値は、（図４参照）試験期間の間に決定される。試験期間ＴＰの間に、試験信号発生器ＴＳＧは、試験信号を発生する。スイッチＳ１は、試験期間ＴＰの以外の期間で、入力ビデオ信号ＶＩを駆動回路ＤＲ及び増幅器ＡＭＰに接続するものであって、試験信号ＴＳを駆動回路ＤＲ及び増幅器ＡＭＰの両者に供給するためのポジションを変える。制御回路ＣＣは、ビーム電流測定回路ＢＭＣからのビーム電流情報ＢＣＩを受信するものであって、制御信号ＣＳ１によりキャパシタＣＥの値を制御する。試験期間ＴＰの間、特定のキャパシタＣＥの値で、測定された全体の電流ＩＴが評価される。同じ試験期間又は次の試験期間において、キャパシタＣＥの値が変わり、再び全電流ＩＴが評価される。キャパシタＣＥの値は、キャパシタンスＣＩＮを流れる電流ＩＣが十分に正確に補償されたことを測定された電流ＩＴが示すまで変わる。補償信号ＶＤＩの振幅は一定に保持される。
【００３２】
好ましくは、キャパシタＣＥは、キャパシタンスの値がキャパシタＣＥ間のＤＣ電圧の値と共に変化するタイプからなる。しかし、キャパシタンスの値を変えるための他の可能性が存在し、たとえば、幾つかのキャパシタが並列に切替え可能に接続される場合がある。キャパシタＣＥの実際の値は、キャパシタが並列に切替えられることで決定される。
【００３３】
本発明に係る別の実施の形態では、補償信号ＶＤＩの振幅の適正な値は、試験期間ＴＰの間に決定される。試験期間ＴＰの間、試験信号発生器ＴＳＧは、試験信号ＴＳを発生する。スイッチＳ１は、試験期間ＴＰ以外の期間で、入力ビデオ信号ＶＩを駆動回路ＤＲ及び増幅器ＡＭＰに接続するものであって、試験信号を駆動回路ＤＲ及び増幅器ＡＭＰの両者に供給するためにポジションを変える。制御回路ＣＣは、ビーム電流測定回路ＢＭＣからのビーム電流情報ＢＣＩを受信するものであって、制御信号ＣＳ２と共に補償信号ＶＤＩの振幅を制御する。試験期間ＴＰの間、特定の補償信号ＶＤＩの振幅の値で、測定される全電流ＩＴが評価される。次の試験期間ＴＰでは、補償信号ＶＤＩの振幅の値が代わり、再び全電流ＩＴが評価される。補償信号ＶＤＩの振幅は、キャパシタンスＣＩＮを流れる電流ＩＣが十分に正確に補償されたことを測定された電流ＩＴが示すまで変わる。キャパシタＣＥの値は、一定に保持される。
【００３４】
キャパシタＣＥの値と補償信号ＶＤＩの振幅の両者は変えることも可能である。
好ましくは、試験期間ＴＰは、ライン及び／又はフレームフライバック期間の間に生じる。好ましくは、使用される場合、試験信号ＴＳは、試験信号が見ることができないように、電子銃のカットオフレベル以下であるレベルを有する。試験信号ＴＳは、キャパシタンスＣＩＮ及びキャパシタＣＥの両者を流れる電流を発生するための遷移を有する。遷移の形状に依存して、キャパシタＣＥを流れる電流ＩＣＯによりキャパシタンスＣＩＮを流れる電流ＩＣの補償が十分に正確であるかが結論付けられる。
【００３５】
陰極線管ＣＲＴは、１を超える電子銃を有する場合がある。通常、カラー陰極線管は、３つの電子銃を有している。電子銃のそれぞれ１つは、電子ビームＥＢを発生し、この電子ビームは、原色（赤、緑、青）の光を放出する３つの蛍光体のうちの関連する１つに関してスクリーンに到着する。好ましくは、電子銃のそれぞれ１つのカソードに関して補償が実行される。
【００３６】
図２Ａ〜図２Ｅは、改善された電流センシングの動作を説明する波形を示している。
図２Ａは、駆動信号ＶＤの例を示している。駆動信号ＶＤは、ロウレベルＬＬにある瞬間ｔ１で線形に上昇し、瞬間ｔ２でハイレベルＨＬに到達する。
図２Ｂは、駆動信号ＶＤに応答して流れるビーム電流ＩＢを示している。説明の容易さのため、駆動信号ＶＤとビーム電流ＩＢの間の関係は線形であることが仮定されている。
図２Ｃは、カソードＣＡとＧ１グリッドＧ１の間のキャパシタンスＣＩＮを流れる電流ＩＣを示している。電流ＩＣは、上昇する電圧ＶＤのために瞬間ｔ１で上昇し始める。瞬間ｔ３で、キャパシタＣＩＮを流れる電流ＩＣは、電圧ＶＤがハイレベルＨＬに到達する瞬間ｔ２でゼロになるまで再び減少し始める。
【００３７】
図２Ｄは、キャパシタＣＥを流れる補償電流ＩＣＯを示している。この電流ＩＣＯは、電流ＩＣをキャンセルするために電流ＩＣが反転された波形である。補償電圧ＶＤＩは、駆動電圧ＶＤの極性とは反対の極性を有し、したがって、瞬間ｔ１から瞬間ｔ２まで、補償電圧ＶＤ１は、ハイレベルからロウレベルに変化する。補償電圧ＶＤＩの振幅及びキャパシタＣＥの値は、できるだけ良好な相殺を得るために選択される。
【００３８】
電圧ＶＤＩが極性に関して反転された駆動電圧となるために選択することもできる。したがって、電圧ＶＤＩは同じ振幅を有し、同じやり方で同じ期間内で変化する。次いで、キャパシタＣＥは、キャパシタンスＣＩＮの値に実質的に等しい値を有する。しかし、このアプローチでは、振幅ＡＭＰは、電圧ＶＤの振幅と同じ大きな振幅をもつ補償電圧ＶＤＩを発生する必要がある。このことは、高周波のハイレベル信号を発生可能な高価な駆動回路ＤＲだけでなく、高価な増幅器ＡＭＰも要求されるという問題点を有する。したがって、好ましくは、増幅器ＡＭＰは、駆動信号ＤＶの振幅よりも小さな振幅をもつ補償電圧ＶＤＩを発生する。キャパシタＣＥの値は、より小さな振幅を補償するために大きく選択される必要がある。たとえば、電圧ＶＤＩの振幅は、駆動電圧ＶＤの振幅よりも小さく、五分の一に選択される場合があり、キャパシタＣＥは、キャパシタンスＣＩＮの値の実質的に５倍の値を有する。
【００３９】
増幅器ＡＭＰは、個別の増幅器である必要はなく、駆動回路ＤＲと組み合わされる場合がある。通常、駆動回路ＤＲは、増幅器を含んでいる。この増幅器は、インバータを含んでいる場合がある。インバータは、駆動回路ＤＲの増幅器の出力に結合されるか、出力信号ＶＤよりも低い振幅で信号が利用可能である駆動回路における接続点に結合される場合がある。
【００４０】
図２Ｅは、ビーム電流測定回路ＢＭＣにより測定される全電流ＩＴを示している。全電流ＩＴは、キャパシタンスＣＩＮを流れる電流ＩＣがキャパシタＣＥを流れる電流ＩＣＯにより補償されるため、ビーム電流ＩＢに実質的に等しい。
【００４１】
図３は、本発明の別の実施の形態に係る改善されたビーム電流センシングによるディスプレイ装置のブロック図を示している。ディスプレイ装置は、タイル張りされた表示領域を含んでいる。
【００４２】
例を介して、図３における表示領域は、４つの実質的にオーバラップしないサブ領域すなわちタイルＡ１〜Ａ４を含んでいる。タイルＡ１〜Ａ４のそれぞれ１つにより、電子銃が関連される。電子銃はそれぞれ、カソードＣＡ１〜ＣＡ４、及びＧ１グリッドＧ１Ａ１〜Ｇ１Ａ４をそれぞれ有している。キャパシタンスＣＩＮ１〜ＣＩＮ４は、カソードＣＡ１〜ＣＡ４とＧ１グリッドＧ１Ａ１〜Ｇ１Ａ４との間に存在する。駆動回路ＤＲは、駆動電圧ＶＤ１〜ＶＤ４をＧ１グリッドＧ１Ａ１〜Ｇ１Ａ４にそれぞれ供給する。カソードＣＡ１〜ＣＡ４は、実質的に固定された電位に保持される。補償回路ＣＯＭは、補償電流ＩＣＯ１〜ＩＣＯ４をそれぞれ供給するため、キャパシタＣＥ１〜ＣＥ４を介して、カソードＣＡ１〜ＣＡ４に接続される。ビーム電流測定回路ＢＭＣは、全電流ＩＴ１〜ＩＴ４をそれぞれ測定するため、カソードＣＡ１〜ＣＡ４に接続される。全電流ＩＴ１〜ＩＴ４は、ビーム電流ＩＢ１〜ＩＢ４、キャパシタンスＣＩＮ１〜ＣＩＮ４を流れる電流ＩＣ１〜ＩＣ４、補償電流ＩＣＯ１〜ＩＣＯ４を加算したものである。
【００４３】
関連するカソードＣＡ１〜ＣＡ４及びＧ１グリッドＧ１Ａ１〜Ｇ１Ａ４のそれぞれのペアについて、キャパシタンスＣＩＮ１〜ＣＩＮ４を流れる電流は、補償電流ＩＣＯ１〜ＩＣＯ４のそれぞれにより補償される。
【００４４】
カソードＣＡ１〜ＣＡ４は、個別のカソードとして示されているので、ラインカソードのそれぞれの部分である場合がある。
【００４５】
図４は、本発明の実施の形態に係る試験信号をもつ駆動信号の波形を示している。駆動信号ＶＤは、２つの連続するフレームのフルラインについて示されている。それぞれのラインは、駆動信号ＶＤが入力ビデオ信号ＶＩであるアクティブビデオ期間ＶＰを含んでいる。試験期間ＴＰは、その間に駆動信号ＶＤが試験信号ＴＳであって、２つの連続するアクティブライン周期ＶＰの間にあるラインフライバック期間の間に生じる。
【００４６】
図５は、本発明に係るディスプレイ装置の実施の形態に関するブロック図を示している。本発明に係る実施の形態では、電子銃は電流駆動される。（通常はビデオ出力増幅器である）ドライバＤＲは、入力信号ＵＥを受信し、駆動信号を電子銃のＧ１グリッドに供給する。電子銃のカソードＣＡは、実質的に一定の電位で保持される。ビーム電流と、Ｇ１グリッドとカソードとの間の容量性の電流とを加えた電流は、カソードＣＡを通してカソード電流ＩＣＡとして流れる。増幅器ＡＭＰは、カソードＣＡに向かって流れる補正電流ＩＣＯを得るため、補正電圧ＶＤＩをキャパシタＣＥに供給する。電圧コンバータＩＵへの電流は、全電流ＩＴを電圧ＶＣに変換する。全電流ＩＴは、カソード電流ＩＣＡと補正電流ＩＣＯの合計であり、したがって実際のビーム電流を非常に正確にする。
【００４７】
加算器ＡＤＤは、電圧ＶＣを入力ビデオ電圧ＶＩから引き、エラー電圧ＵＥをドライバＤＲに供給する。この電流フィードバックシステムでは、ドライバＤＲは、駆動電圧をカソード又はＧ１グリッドに供給し、これにより、（正確なビーム電流のコピーである）全電流ＩＴは、電圧ＶＣが入力ビデオ信号ＶＩに等しいように値を有する。
【００４８】
電流フィードバックは、ピクチャが電子銃のアレイを有するタイル張りされたディスプレイで本発明が使用されるときに特に重要である。全てのこれら電子銃は、同じ明るさ及びコントラストを生成し、さもなければ、見る人は異なるタイルが分かるであろう。しかし、電子銃は、異なる特性（たとえば異なるガンマ）を有する。このことは、同じ電圧が異なる電子銃で異なるビーム電流を生じることを意味する。電流フィードバックは、全ての電子銃において、同じ電流が同じ入力電圧で流れ、電子銃の駆動電圧が等しいビーム電流を得るために自動調整されるという利点を有する。かかるビーム電流フィードバックシステムでは、実際のビーム電流が非常に正確に測定されることが非常に重要である。本発明に係る補償を使用することで、非常に正確なビーム電流が測定される。
【００４９】
なお、先に説明された実施の形態は本発明を限定するよりはむしろ例示するものであること、及び当業者であれば、特許請求の範囲から逸脱しない多くの代替的な実施の形態を設計することができることを述べておく。請求項では、括弧の間に位置される参照符号は、請求項を限定するものとして解釈されるべきではない。単語「有する“comprising”」は、請求項に列挙された構成要素又はステップ以外の構成要素又はステップの存在を排除するものではない。本発明は、幾つかの固有な構成要素を含むハードウェアにより、及び適切にプログラムされたコンピュータにより実現することができる。幾つかの手段を列挙している装置の請求項では、多数のこれら手段が同一のハードウェアにより実現することができる。所定の手段が相互に異なる従属の請求項で引用されるという事実は、これらの手段の組み合わせが利用するために使用することができないことを示していない。
【図面の簡単な説明】
【００５０】
【図１】本発明の実施の形態に係る改善されたビーム電流センシングによるディスプレイ装置のブロック図である。
【図２】改善されたビーム電流センシングの動作を説明する波形図である。
【図３】本発明の別の実施の形態に係る改善されたビーム電流センシングによるディスプレイ装置のブロック図である。
【図４】本発明の実施の形態に係る試験信号をもつ駆動信号の波形図である。
【図５】本発明に係るディスプレイ装置の実施の形態に関するブロック図である。
【図１】
2005539450.tif 000003
2005539450.tif 000004
【図３】
2005539450.tif 000005
【図４】
2005539450.tif 000006
【図５】
2005539450.tif 000007
【国際調査報告】
2005539450.tif 000008
2005539450.tif 000009
2005539450.tif 000010